(57)【要約】 【課題】  バイアス調整の後に、再度オートパワーコントロール信号を出力し、このタイミングでレーザ光ビームを受光検知することによって、受光検知手段を画像情報書込開始位置に近接して設置し、小型化を可能にする。【解決手段】  レーザ書込装置４０に備わるレーザ書込制御部４２は、オートパワーコントロール（ＡＰＣ）制御部４３からＡＰＣ信号を複数回出力し、またＡＰＣ制御部４３からレーザドライバ８が光源７の駆動開始電流値を調整するための信号であるバイアス調整信号を出力した後であって、画像Ｉ／Ｆ部２５およびＰＷＭ発生部２４から画像情報信号が出力される直前に、ＡＰＣ制御部４３から出力されるＡＰＣ信号に基づいて、光源７から出射される全点灯状態のレーザ光ビームを、ビームディテクタ１０が受光検知して書込位置基準信号を出力するように動作を制御する。【選択図】      図１
2006181974.tif 000002
【特許請求の範囲】
【請求項１】
電子写真方式を用いる画像形成装置に備えられてレーザ光を感光体に照射して画像情報を書込むレーザ書込装置において、
レーザ光を出射する光源と、
光源から出射されるレーザ光の光量に応じた信号を出力する光量センサと、
光量センサの出力に応じて光源から出射されるレーザ光の出力の調整を指示するオートパワーコントロール信号を出力するオートパワーコントロール信号発生手段と、
感光体に書込むべき画像情報の信号を出力する画像情報出力手段と、
オートパワーコントロール信号の指示によって、光量センサの出力に応じて光源から出射されるレーザ光の出力を調整し、画像情報出力手段の出力に応じて光源から出射されるレーザ光の出力を制御するレーザ駆動手段と、
光源から出射される全点灯状態のレーザ光を受光検知し、感光体に対する画像情報書込位置基準となる書込位置基準信号を出力する受光検知手段と、
光源に与える駆動電流を制御することによって、光源が駆動を開始する電流値であるバイアス電流を調整するバイアス調整手段と、
オートパワーコントロール信号を複数回出力し、オートパワーコントロール信号の出力によりレーザ光の出力を調整してからバイアス調整手段を動作させバイアスを調整した後、画像情報信号が出力される直前に出力されるオートパワーコントロール信号に基づいて出射されるレーザ光を、受光検知手段が受光検知して書込位置基準信号を出力するように前記各手段の動作を制御する制御手段とを含むことを特徴とするレーザ書込装置。
【請求項２】
光源は、白黒画像形成用の第１および第２白黒画像形成用レーザ光源と、カラー画像形成用レーザ光源であるイエロー画像形成用レーザ光源、マゼンタ画像形成用レーザ光源およびシアン画像形成用レーザ光源とを有し、
白黒画像を形成するとき、カラー画像形成用レーザ光源のいずれか１つに用いられるオートパワーコントロール信号発生手段を、第１白黒画像形成用レーザ光源または第２白黒画像形成用レーザ光源のいずれか一方のオートパワーコントロール信号発生手段として動作させることを特徴とする請求項１記載のレーザ書込装置。
【請求項３】
電子写真方式を用いて画像形成するに際してレーザ光を感光体に照射して画像情報を書込むレーザ書込方法において、
光源から出射されるレーザ光の光量を検出し、該光量に基づいて光源から出射されるレーザ光の出力を調整するオートパワーコントロールステップと、
光源に与える駆動電流を制御することによって、光源がレーザ光を出射し始める電流値であるバイアス電流を調整するバイアス調整ステップと、
光源から出射されるレーザ光を受光検知し、感光体に対する画像情報書込位置基準を検知する書込位置基準検知ステップと、
感光体に書込むべき画像情報の信号を出力する画像情報出力ステップとを含み、
オートパワーコントロールステップが複数回実行され、複数回実行されるオートパワーコントロールステップのうち、バイアス調整ステップが実行された後であってかつ画像情報出力ステップが実行される前のオートパワーコントロールステップ実行時に、書込位置基準検知ステップが実行されることを特徴とするレーザ書込方法。
【発明の詳細な説明】
【技術分野】
【０００１】
本発明は、レーザ書込装置およびレーザ書込方法に関する。
【背景技術】
【０００２】
電子写真方式を用いる画像形成装置に備わるレーザ書込装置では、画像情報を画像形成装置の感光体に書込む前のタイミングで、光源から出射されるレーザ光の出力を安定化させるオートパワーコントロール（略称ＡＰＣ）を実行し、ＡＰＣを実行するタイミングでビームディテクタ（略称ＢＤ）によってレーザ光のビームを検知し、ＢＤによるビーム検知後に後述するバイアス調整を行い、さらにバイアス調整後にＢＤによってビームが検知された位置を基準にして所定間隔離れた位置を、感光体に対する画像情報書込開始位置として、レーザ光による画像情報を書込む。
【０００３】
以下、従来のレーザ書込装置の構成および動作について説明する。
図１０には、上記のような書込みを行う従来のレーザ書込装置１の構成を簡略化して示す。レーザ書込装置１は、大略、レーザ書込部２と、レーザ書込制御部３とを含む構成である。レーザ書込部２は、モータによって矢符４方向に一定の速度で回転するポリゴンミラー５と、ポリゴンミラー５の駆動源であるモータの駆動回路であるモータドライバ６と、ポリゴンミラー５に向ってレーザ光を出射する光源７と、光源７の駆動回路であるレーザドライバ８と、光源７の後方への出射光を検知する光量センサ９と、光源７から前方へ出射されるレーザ光ビームの位置を受光検知するＢＤ１０と、光源７から前方へ出射されてポリゴンミラー５で反射された光をさらに反射してＢＤ１０へ入射させる反射ミラー１１と、画像形成装置の感光体１３にレーザ光を集光させるレンズ１２とを含んで構成される。
【０００４】
ポリゴンミラー５は、回転軸線に垂直な断面形状が多角形であり、多角形の各辺を構成する面に光反射部材が設けられ、駆動回路であるモータドライバ６の駆動制御によって前述のように矢符４方向に一定速度で回転する。
【０００５】
光源７は、たとえば半導体レーザであり、前後方へレーザ光を出射することができ、前方へ出射されるレーザ光が、主として画像情報を感光体１３の表面に書込むことに用いられ、後方へ出射されるレーザ光が光出力制御のモニタ光として用いられる。光源７から前方へ出射したレーザ光は、ポリゴンミラー５によって反射され、さらにレンズ１２で集光されて感光体１３に照射される。このとき、ポリゴンミラー５が矢符４方向に定速で回転しているので、感光体１３の表面に照射されているレーザ光が、感光体１３上で光走査される。
【０００６】
ＢＤ１０は、反射ミラー１１とともに、光源７から出射される全点灯状態のレーザ光を受光検知し、感光体１３に対する画像情報書込位置基準となる書込位置基準信号を出力する受光検知手段を構成する。光源７から出射されてポリゴンミラー５が特定の回転位置になったときにのみ反射されるレーザ光ビームは、反射ミラー１１でさらに反射される。ＢＤ１０は、該反射ビームを受光できる位置に設けられる受光検出器であり、レーザ光ビームを受光検出したとき、受光検出信号を書込位置基準信号としてレーザ書込制御部３に対して出力する。
【０００７】
ＢＤ１０によってレーザ光が受光検出されたタイミングから、所定時間経過した時点において、画像情報の感光体１３への書込みが開始される。ＢＤ１０による受光タイミングから所定時間経過した時点の位置関係を、図１０上における位置で説明すると、光源７から出射しポリゴンミラー５で反射されて反射ミラー１１に入射する（すなわちＢＤ１０で受光される）レーザ光の位置から、ポリゴンミラー５が矢符４方向に回転することによって、ポリゴンミラー５による反射光が角度θだけさらに角変位したレーザ光の位置が、感光体１３に対する画像情報の書込開始位置として定められる。すなわちＢＤ１０によるレーザ光の受光検出は、感光体１３に対する画像情報書込開始のための基準位置を検出するものである。
【０００８】
光源７から後方へ出射した光は、受光光量に応じた信号を出力する光量センサ９によって光量検出され、検出出力がレーザドライバ８へ入力される。レーザドライバ８は、ＡＰＣ信号制御部２３からのＡＰＣ実行を示すＡＰＣ信号が有効な状態で、光量の検出出力に応じて光源７の出力を所定値になるように駆動させる。通常この光源７のＡＰＣは、光源７を全点灯させた状態で行われる。ここで全点灯とは、光源７を連続点灯する状態をいう。
【０００９】
レーザドライバ８は、光源７のＡＰＣに係る調整駆動だけでなく、レーザ書込制御部３からの動作指令に基づいて、画像情報に応じて光源７から出射されるレーザ光の出力を駆動制御する。また、レーザドライバ８は、ＡＰＣのときに光源７を点灯させる場合よりも小さい電流で点灯させ、光量センサ９で検知した光量に基づいて、光源７を駆動させる電流値を制御することによって、光源７がレーザ光を出射し始める電流値付近に、光源７の駆動開始電流（バイアス電流）を設定するように調整するバイアス調整手段でもある。
【００１０】
ここで、バイアス電流の調整について簡単に説明する。図１１は、バイアス電流の調整を説明する概要図である。図１１では、横軸が光源である半導体レーザに通電される駆動電流を表し、縦軸が半導体レーザからの光出力を表す。半導体レーザは、通電開始とともに発光すなわち光出力されるものではなく、ある程度の電流値、たとえば図１１中において半導体レーザの発振特性を表すライン１０１における立上がり部であるしきい値１０２になって初めて光出力される。
【００１１】
したがって、半導体レーザに通電する電流値が零（０）を駆動開始値としたのでは、画像情報を階調制御するためのレーザ光パルスの応答性が良くないという問題がある。そこで、上記バイアス電流をしきい値１０２付近に設定するというバイアス調整が行われる。
【００１２】
バイアス調整には、１つの方法としてバイアス電流を固定値にするものがある。バイアス電流ＢＩ１を固定値としてしきい値１０２付近に設定することによって、パルスの応答性が向上する。しかしながら、半導体レーザの発振特性、すなわちライン１０１は、温度などの動作環境および経時変化によってシフトする。たとえば、ライン１０１が、より高電流側の発振特性であるライン１０３にシフトし、しきい値も高電流側のもう一つのしきい値１０４にシフトすると、バイアス電流ＢＩ１が固定値では、次のような問題がある。
【００１３】
しきい値は、半導体レーザが出射するレーザ光で感光体に書込む画像情報であって階調調整される画像情報の最も明るい階調に相当する部分であり、しきい値を超えた光出力の立上がり部分のレーザ光パルスによって、画像情報の明るい階調部分が書込まれることになる。したがって、バイアス電流ＢＩ１が固定値で、しきい値が変動すると、バイアス電流ＢＩ１を基準とした駆動電流を同じにしてもレーザ光パルスの強度が変動することになり、駆動電流と階調性との間の直線性が悪くなるという問題がある。
【００１４】
そこで、半導体レーザの発振特性の変動に応じて、バイアス電流を可変に設定するオートバイアスを行うものがある。このオートバイアスでは、しきい値１０２に対してバイアス電流ＢＩ２が設定され、もう一つのしきい値１０４に対してはバイアス電流ＢＩ３が設定される。バイアス電流ＢＩ２およびＢＩ３は、しきい値１０２およびもう一つのしきい値１０４に対してオフセット電流分だけ小さい値にそれぞれ設定される。このようなオートバイアスによれば、バイアス電流を基準とした駆動電流とレーザ光パルス強度すなわち階調性との直線性を向上することができる。本明細書におけるバイアス調整とは、このオートバイアスのことを意味する。
【００１５】
バイアス調整は、レーザドライバ８において、たとえば次のように実行される。半導体レーザの発振特性であるたとえばライン１０１の勾配部分において、駆動電流と光出力との対応データを少なくとも２点測定し、該２点のデータから外挿法によって光出力が０になる駆動電流値を求める。求めた駆動電流値からオフセット電流を減算した値をバイアス電流とすることができる。したがって、レーザドライバ８は、光源７の駆動回路であるとともに、上記のバイアス調整を行う処理回路でもある。
【００１６】
図１０に戻って、レーザ書込制御部３の構成を説明する。レーザ書込制御部３は、画素クロック発生同期制御部２１と、モータ制御部２２と、前述のＡＰＣ制御部２３と、パルス幅変調（ＰＷＭ）発生部２４と、画像インターフェイス（Ｉ／Ｆ）部２５とを含んで構成される。
【００１７】
画素クロック発生同期制御部２１は、計時部であり計時信号発生部でもある。この画素クロック発生同期制御部２１が出力する計時信号に基づき、たとえば上記ＢＤ１０によるレーザ光ビームの検知時を時間の基準として、上記のＡＰＣ、バイアス調整、画像情報の書込み動作が実行される。モータ制御部２２は、ポリゴンミラー５を回転駆動させるモータドライバ６に対して、電力と動作制御指令とを出力する電源制御回路である。
【００１８】
ＡＰＣ制御部２３は、画素クロック発生同期制御部２１からのクロックに同期して、レーザドライバ８にＡＰＣの実行タイミングを指示するＡＰＣ信号を出力する。またＡＰＣ制御部２３は、前述のレーザドライバ８がバイアス調整を実行するためのタイミングを指令する信号であるバイアス調整信号を出力する。すなわち、ＡＰＣ制御部２３は、バイアス調整信号発生手段でもある。
【００１９】
ＰＷＭ発生部２４は、感光体１３に対して書込むべき画像情報の信号を出力する画像情報出力手段であり、画像情報の階調に対応するレーザ光パルスを発生させる。このＰＷＭ発生部２４は、レーザドライバ８に画像情報として動作指令を出力し、上記バイアス電流を基準として駆動電流を制御することによって、光源７からレーザ光パルスを発振させる。レーザ光パルスを発生させる元信号である画像情報信号は、画像形成装置に備わる画像処理部２６から画像Ｉ／Ｆ部２５を介してＰＷＭ発生部２４に与えられる。画素クロック発生同期制御部２１から出力される計時信号に基づいて調整、書込動作指令をそれぞれ出力するＡＰＣ制御部２３およびＰＷＭ発生部２４は、画素クロック発生同期制御部２１に電気的に接続される。
【００２０】
次に従来のレーザ書込装置１における各種調整と画像情報書込動作とについて説明する。図１２は、従来のレーザ書込装置１における動作を説明するタイミングチャートである。なお、図１２では光源７が単一の場合について例示する。
【００２１】
従来のレーザ書込装置１においては、光源７を全点灯させてＡＰＣを行い、このＡＰＣ時の全点灯レーザ光ビームを用いてＢＤ１０によるレーザ光ビーム検知、すなわち画像情報書込位置基準の検知を行い、さらにＢＤ１０によるレーザ光ビーム検出後のタイミングであって、ＢＤ１０により検出された画像情報書込位置基準に従って画像情報を感光体１３に書込む前のタイミングでバイアス調整を行う。
【００２２】
画素クロック発生同期制御部２１から出力される計時信号に基づいて、ＡＰＣ制御部２３からＡＰＣのための動作指令であるＡＰＣ信号が時刻ｔ１に出力されると、レーザドライバ８が動作して光源７を全点灯させる。したがって、図１２（ｅ）に示すレーザ光量が、時刻ｔ１からｔ２にかけて若干の遅延時間（＝ｔ２−ｔ１）でほぼ通常印字時の光量まで立ち上がり、光源７の出力を所定値に設定するＡＰＣが開始される。このＡＰＣは、時刻ｔ１から時刻ｔ４までたとえば２μｓｅｃの間実行される。
【００２３】
時刻ｔ１から時刻ｔ４までのＡＰＣが実行されている間の時刻ｔ３において、全点灯されている光源７から出力されるレーザ光ビームの検知がＢＤ１０によって行われる。ＢＤ１０によってレーザ光ビームが検知される時刻ｔ３から、所定の時間が経過した時刻ｔ７において、ＰＷＭ発生部２４からの指令に従ってレーザドライバ８が動作し、光源７が駆動されて画像情報を感光体１３へ書込む動作が開始される。ここで、所定の時間（＝ｔ７−ｔ３）とは、ポリゴンミラー５の回転によって、ポリゴンミラー５の反射光を反射ミラー１１へ入射させる位置から感光体１３への画像情報書込開始位置まで角度θだけ角変位させるのに要する時間である。
【００２４】
従来のレーザ書込装置１では、上記所定の時間（＝ｔ７−ｔ３）の間に、レーザドライバ８によってバイアス調整が実行される。このバイアス調整の実行タイミングも、画素クロック発生同期制御部２１から出力される計時信号に基づいて予め設定される。図１２の例示では、ＢＤ１０によりレーザ光ビームが検知された時刻ｔ３の後、時刻ｔ５においてＡＰＣ実行中よりも小さい出力のレーザ光量でバイアス調整が実行され、画像書込開始時刻ｔ７よりもたとえば１μｓｅｃ前に、バイアス調整が終了する。
【００２５】
従来のレーザ書込装置１のように、ＢＤ１０によるレーザ光ビームの検知、すなわち画像書込位置基準の検知後にバイアス調整を行うと、画像書込開始位置が少なくともバイアス調整に要する時間分だけずれることになる。したがって、ＢＤ１０によるレーザ光ビーム検知と画像情報書込開始までの間にバイアス調整を行おうとすると、バイアス調整に用いる時間である角変位時間を確保するために、レーザ光ビーム検出用反射ミラー１１の設置位置と画像情報書込開始位置までの距離をある程度大きくしなければならず、レーザ書込装置１の小型化を阻害する要因となっている。逆に、レーザ光ビーム検出用反射ミラー１１の設置位置から画像情報書込開始位置までの距離を縮めようとすると、バイアス調整を行う時間を確保することができなくなる。
【００２６】
画像形成装置に搭載されるレーザ書込装置には、白黒画像情報の書込速度を向上するために２ビームの光源が用いられるものがある。図１３は、２ビーム光源３１の典型例を示す図である。２ビーム光源３１は、一体化された素子に２つの第１および第２発光点３２，３３（以後、便宜上第１および第２光源３２，３３と呼ぶ）を有し、２本のレーザ光である第１ビーム３４と第２ビーム３５とを同方向に出射することができる。
【００２７】
２ビーム光源３１に設けられる第１および第２光源３２，３３の形成位置は、設計値として確定することができるので、光源から出射されるレーザ光ビームが２本ある場合であっても、いずれか一方のみをＢＤ１０で検知するだけで、両ビーム３４，３５の位置を検知することができる。図１３では、第１ビーム３４を検出する構成が例示される。
【００２８】
図１４は、２ビーム光源３１を備えるレーザ書込装置における動作を説明するタイミングチャートである。２ビーム光源３１を備えるレーザ書込装置においても、その動作は１ビーム光源７と基本的に同様であり、２つの光源３２，３３のＡＰＣとバイアス調整とをシリーズで行う。
【００２９】
第１光源３２を全点灯してＡＰＣを実行するタイミングである時刻ｔ８において、ＢＤ１０によってレーザ光ビームを検知すると、レーザ光ビーム検知後に、第１光源３２のバイアス調整、第２光源３３のＡＰＣおよびバイアス調整を行った後、時刻ｔ１０において画像情報書込みを開始することになるので、レーザ光ビーム検出後画像情報書込開始までに長時間を要する。したがって、図１４では、第２光源３３のＡＰＣを実行するタイミングの時刻ｔ９においてレーザ光ビーム検知を行い、その後バイアス調整し、時刻ｔ１０において画像情報の書込みを開始することを例示する。このようにしても、時刻ｔ９でレーザ光ビームを検知後、バイアス調整のための時間を要することは、単一光源の場合と何ら差異が無い。
【００３０】
このようなことから、レーザ光ビームの検知位置と画像情報書込開始位置とを近づけるために、ＰＷＭ発生部２４から出力される画像情報書込信号で光源７または３１を点灯し、レーザ光ビームを検知することも考えられるが、レーザ光ビーム検知後、直ちに画像情報書込信号の基準クロックの位相を調整する工程が入るので、画像情報書込信号自体を乱すおそれがあり、画像情報書込信号によるレーザ光ビーム検出の実行は困難である。さらに、バイアス調整信号で光源７または３１を点灯し、レーザ光ビームを検出することも考えられるが、バイアス調整は光源７または３１を全点灯よりも小さい駆動電流で光出力させるので、ＢＤ１０から充分な出力電圧値を得られず、レーザ光ビーム検出の精度を得ることができない。
【００３１】
画像形成装置はコンパクト化が希求されているので、画像形成装置に搭載されるレーザ書込装置も当然のごとくコンパクト化が望まれている。したがって、レーザ書込装置についてもコンパクト化および低コスト化を目的とした種々の提案がなされている。たとえば、複数の光ビームのＡＰＣを行うために、１つの光ビームに対してのみ光量を検知する受光手段を設け、その他の光ビームに対しては同期信号検知のための光検出手段を兼用することによって、複数の光ビームのそれぞれに対して受光検出手段を設けなくても良い構成とし、コストの低減と、受光手段の設置スペース削減とを提案するものがある（特許文献１参照）。
【００３２】
しかしながら、特許文献１には、レーザ光ビームの検知後画像情報の書込開始との間にバイアス調整することが、レーザ光ビームの検知手段である反射ミラー１１およびＢＤ１０の設置位置と、画像情報書込開始位置との離隔距離を大きくし、装置小型化を阻害するので、これを解決して装置の小型化を図るという課題についての示唆がなされておらず、またその解決手段についても開示されていない。
【００３３】
【特許文献１】特開平１０−１６１０４９号公報
【発明の開示】
【発明が解決しようとする課題】
【００３４】
本発明の目的は、バイアス調整の後に、再度オートパワーコントロール信号を出力し、このタイミングでレーザ光ビームを受光検知することによって、受光検知手段を画像情報書込開始位置に近接して設置し、小型化を可能にするレーザ書込装置およびレーザ書込方法を提供することである。
【課題を解決するための手段】
【００３５】
本発明は、電子写真方式を用いる画像形成装置に備えられてレーザ光を感光体に照射して画像情報を書込むレーザ書込装置において、
レーザ光を出射する光源と、
光源から出射されるレーザ光の光量に応じた信号を出力する光量センサと、
光量センサの出力に応じて光源から出射されるレーザ光の調整を指示するオートパワーコントロール信号を出力するオートパワーコントロール信号発生手段と、
感光体に書込むべき画像情報の信号を出力する画像情報出力手段と、
オートパワーコントロール信号の指示によって、光量センサの出力に応じて光源から出射されるレーザ光の出力を調整し、画像情報出力手段の出力に応じて光源から出射されるレーザ光の出力を制御するレーザ駆動手段と、
光源から出射される全点灯状態のレーザ光を受光検知し、感光体に対する画像情報書込位置基準となる書込位置基準信号を出力する受光検知手段と、
光源に与える駆動電流を制御することによって、光源が駆動を開始する電流値であるバイアス電流を調整するバイアス調整手段と、
オートパワーコントロール信号を複数回出力し、オートパワーコントロール信号の出力によりレーザ光の出力を調整してからバイアス調整手段を動作させバイアスを調整した後、画像情報信号が出力される直前に出力されるオートパワーコントロール信号に基づいて出射されるレーザ光を、受光検知手段が受光検知して書込位置基準信号を出力するように前記各手段の動作を制御する制御手段とを含むことを特徴とするレーザ書込装置である。
【００３６】
また本発明は、光源は、白黒画像形成用の第１および第２白黒画像形成用レーザ光源と、カラー画像形成用レーザ光源であるイエロー画像形成用レーザ光源、マゼンタ画像形成用レーザ光源およびシアン画像形成用レーザ光源とを有し、
白黒画像を形成するとき、カラー画像形成用レーザ光源のいずれか１つに用いられるオートパワーコントロール信号発生手段を、第１白黒画像形成用レーザ光源または第２白黒画像形成用レーザ光源のいずれか一方のオートパワーコントロール信号発生手段として動作させることを特徴とする。
【００３７】
また本発明は、電子写真方式を用いて画像形成するに際してレーザ光を感光体に照射して画像情報を書込むレーザ書込方法において、
光源から出射されるレーザ光の光量を検出し、該光量に基づいて光源から出射されるレーザ光の出力を調整するオートパワーコントロールステップと、
光源に与える駆動電流を制御することによって、光源がレーザ光を出射し始める電流値であるバイアス電流を調整するバイアス調整ステップと、
光源から出射されるレーザ光を受光検知し、感光体に対する画像情報書込位置基準を検知する書込位置基準検知ステップと、
感光体に書込むべき画像情報の信号を出力する画像情報出力ステップとを含み、
オートパワーコントロールステップが複数回実行され、複数回実行されるオートパワーコントロールステップのうち、バイアス調整ステップが実行された後であってかつ画像情報出力ステップが実行される前のオートパワーコントロールステップ実行時に、書込位置基準検知ステップが実行されることを特徴とするレーザ書込方法である。
【発明の効果】
【００３８】
本発明によれば、レーザ書込装置に備わる制御手段は、光源から出射されるレーザ光の出力を調整するためのオートパワーコントロール信号を複数回出力し、オートパワーコントロール信号の出力によりレーザ光の出力を調整してからバイアス調整手段を動作させバイアスを調整した後、画像情報信号が出力される直前に出力されるオートパワーコントロール信号に基づいて出射されるレーザ光を、受光検知手段が受光検知して書込位置基準信号を出力するように前記各手段の動作を制御する。このことによって、オートパワーコントロール信号に基づいて出射される全点灯状態のレーザ光を、受光検知する受光検知手段を、画像情報書込開始位置に近接して設置することができるので、レーザ書込装置を小型化することが可能になる。
【００３９】
また本発明によれば、白黒画像を形成するとき、イエロー、マゼンタおよびシアンのカラー画像形成用レーザ光源のいずれか１つに用いられるオートパワーコントロール信号発生手段を、第１白黒画像形成用レーザ光源または第２白黒画像形成用レーザ光源のいずれか一方のオートパワーコントロール信号発生手段として動作させるので、回路規模の削減を実現できる。
【００４０】
また本発明によれば、バイアス調整の後、感光体に書込む画像情報が出力される前のオートパワーコントロール時に、画像情報の書込みを開始するための基準とする位置が検知されるので、各動作ステップを実行する装置を小スペースに集約して配置することが可能になり、装置の小型化に寄与することのできるレーザ書込方法が提供される。
【発明を実施するための最良の形態】
【００４１】
図１は、本発明の実施の第１形態であるレーザ書込装置４０の構成を簡略化して示す図である。本発明のレーザ書込装置４０は、レーザ書込制御部４２に備わるオートパワーコントロール（ＡＰＣ）制御部４３の内部構成が異なることと、レーザ書込部４１に備わり画像情報書込位置基準となる書込位置基準信号を出力する受光検知手段を構成する反射ミラー１１の位置と、画像情報書込開始位置とが、極めて近接し、反射ミラー１１の位置から画像情報書込開始位置までの角変位量θｘが小さくなっていることを除いて、前述の図１０に示すレーザ書込装置１と構成を同じくするので、同一部分については、同一の参照符号を付して説明を省略する。
【００４２】
レーザ書込装置４０は、内部構成に特徴を有するＡＰＣ制御部４３を備える制御手段であって、ＡＰＣ信号を複数回出力し、バイアス調整が実行された後であって画像情報信号が出力される直前に出力されるＡＰＣ信号に基づいて出射される全点灯状態のレーザ光ビームを、受光検知手段であるＢＤ１０が受光検知して書込位置基準信号を出力するように動作制御するレーザ書込制御部４２を備える。
【００４３】
図２はＡＰＣ制御部４３の構成の概略を示す図であり、図３は図２に示すＡＰＣ制御部４３の内部構成を示す図であり、図４はＡＰＣ制御部４３の動作を説明するタイミングチャートである。
【００４４】
ＡＰＣ制御部４３は、大略、主走査タイミングカウンタ５１と、基本ＡＰＣ発生ブロック５２と、オープンコレクタバッファ５３とを含んで構成される。
【００４５】
主走査タイミングカウンタ５１には、画素クロック発生同期制御部２１から出力される計時信号である画素クロックと、画素クロック発生同期制御部２１を介してＢＤ１０によるレーザ光ビームの検知信号（画像情報の書込位置基準信号であり、以後ＢＤ信号と呼ぶ）とが、入力される。主走査タイミングカウンタ５１は、ＢＤ信号が入力されるごとに画素クロックを一旦クリアして新たに計時を開始するように動作し、ＢＤ信号入力ごとに繰返し計時される画素クロックをカウンタ値（略称ＣＮＴ）として、基本ＡＰＣ発生ブロック５２に対して出力する。
【００４６】
基本ＡＰＣ発生ブロック５２は、開始タイミング設定レジスタ５４と、終了タイミング設定レジスタ５５と、第１比較器５６と、第２比較器５７と、ＲＳフリップフロップ（略称ＲＳ−Ｆ／Ｆ）５８とを含む。
【００４７】
開始タイミング設定レジスタ５４は、ＡＰＣ制御部４３が、レーザドライバ８を駆動開始させるための動作開始指令信号の出力を開始するＣＮＴの設定を保持する。図３では、ＡＰＣを開始するタイミング設定例として、ＣＮＴ＝１２５０３を例示する。終了タイミング設定レジスタ５５は、ＡＰＣ制御部４３が、レーザドライバ８を駆動終了させるための動作終了指令信号の出力を開始するＣＮＴの設定を保持する。図３では、ＡＰＣを終了するタイミング設定例として、ＣＮＴ＝２を例示する。
【００４８】
第１および第２比較器５６，５７は、主走査タイミングカウンタ５１から入力されるＣＮＴと、設定保持されるタイミング値とを比較し、入力されるＣＮＴと設定タイミング値とが一致するとき、ＯＮ信号をＲＳ−Ｆ／Ｆ５８に対してそれぞれ出力する。
【００４９】
ＲＳ−Ｆ／Ｆ５８は、第１比較器５６による開始タイミング設定に一致して出力されるＯＮ信号に応じてパルス出力を開始し、第２比較器５７による終了タイミング設定に一致して出力されるＯＮ信号に応じてパルス出力を終了するように動作する。ＲＳ−Ｆ／Ｆ５８によるパルス出力は、オープンコレクタバッファ５３を介することによってバッファ出力に変換されてレーザドライバ８へ与えられる。
【００５０】
前述のように開始および終了タイミング設定レジスタ５４，５５には、ＡＰＣおよびバイアス調整両者のタイミングが設定保持されるので、ＲＳ−Ｆ／Ｆ５８およびオープンコレクタバッファ５３からは、ＡＰＣ制御とバイアス調整との動作指令信号がタイミングをずらせて出力される。したがって、図２では、ＡＰＣ制御部４３からＡＰＣとバイアス調整との動作指令信号を出力できることを判り易くするために２つの出力系統として示してある。
【００５１】
図４は、ＡＰＣ制御部４３による動作指令信号発生動作のうち、ＡＰＣのための動作指令信号、すなわちＡＰＣ信号の発生動作を例示する。図４（ａ）が、主走査タイミングカウンタ５１に入力されるＢＤ１０によるＢＤ信号を表す。図４（ｂ）は、主走査タイミングカウンタ５１により出力されるカウンタ値（ＣＮＴ）を表し、ＢＤ信号が入力される時刻ｔ１４およびｔ１２ごとに、ＣＮＴが０にクリアされて新たなＣＮＴとして出力される。
【００５２】
図４ではＡＰＣ信号の発生動作を例示するので、図４（ｃ）に示す第１比較器５６は、ＣＮＴが開始タイミング設定レジスタ５４の設定値である「１２５０３」のとき、すなわち時刻ｔ１１においてＯＮ信号のパルス５９を出力し、図４（ｄ）に示す第２比較器５７は、ＣＮＴが終了タイミング設定レジスタ５５の設定値である「２」のとき、すなわち時刻ｔ１３においてＯＮ信号のパルス６０を出力する。
【００５３】
図４（ｅ）に示すように、ＲＳ−Ｆ／Ｆ５８は、第１比較器５６のパルス出力５９に応じて時刻ｔ１１にパルス６１の出力を開始し、第２比較器５７のパルス出力６０に応じて時刻ｔ１３にパルス６１の出力を終了する。図４（ｆ）に示すように、オープンコレクタバッファ５３は、ＲＳ−Ｆ／Ｆ５８の出力パルス６１を反転させてｌｏｗ−ａｃｔｉｖｅのＡＰＣ信号用パルス６２としてレーザドライバ８へ出力する。
【００５４】
なお、ＢＤ信号が、時刻ｔ１４およびｔ１２において検出されているのは、ポリゴンミラー５の回転に応じて繰返し検出されることを表す。すなわち、ＢＤ信号が主走査タイミングカウンタ５１へ入力されるごとに、ＣＮＴがクリアされるとともに、クリアされて新たにカウントされるＣＮＴに応じてＡＰＣとバイアス調整とが繰返し実行される。
【００５５】
図５は、レーザ書込装置４０の動作を説明するタイミングチャートである。図５に示す実施態様では、ＡＰＣ信号を２回出力し、バイアス調整信号を２回のＡＰＣ信号の間に出力し、２回目のＡＰＣ信号に基づいて出射される全点灯状態のレーザ光ビームを、ＢＤ１０が受光検知して画像情報の書込位置基準を検出し、該書込位置基準に従って定まる画像情報書込開始位置において画像情報を感光体１３へ書込み開始する。
【００５６】
図５（ａ）はＡＰＣ制御部４３から出力されるＡＰＣ信号を表し、図５（ｂ）はＡＰＣ制御部４３から出力されるバイアス調整信号を表し、図５（ｄ）は、ＢＤ１０によって検知されるＢＤ信号を表す。また図５（ｃ）は感光体１３に書込むべく画像Ｉ／Ｆ部２５から出力される画像情報を表し、図５（ｅ）はＡＰＣ、バイアス調整および画像情報書込み時において、光源７から前方へ出射されるレーザ光の光量を表す。
【００５７】
まずＡＰＣ制御部４３が、画素クロック発生同期制御部２１が出力する計時信号に基づいて主走査タイミングカウンタ５１が出力するＣＮＴと、開始タイミング設定レジスタ５４および終了タイミング設定レジスタ５５に保持されるＡＰＣ信号の開始／終了設定値とに従って、第１回目のＡＰＣ信号である第１ＡＰＣパルス６５を、時刻ｔ２１〜ｔ２２まで出力する。この第１ＡＰＣパルス６５がレーザドライバ８へ入力されて、レーザドライバ８の駆動制御によって光源７が全点灯（連続的に光を出射）する。このとき、光源７の後方出射光の光量を光量センサ９で検出し、該検出出力をレーザドライバ８へフィードバックして、光源７から出射されるレーザ光の出力を所定の値に調整する。
【００５８】
次に、第１回目のＡＰＣ信号の出力を終了した後、ＡＰＣ信号の発生と同様にして、主走査タイミングカウンタ５１が出力するＣＮＴと、開始タイミング設定レジスタ５４および終了タイミング設定レジスタ５５に保持されるバイアス調整信号の開始／終了設定値とに従って、バイアス調整信号であるバイアス調整パルス６６を、時刻ｔ２３〜ｔ２４まで出力する。バイアス調整パルス６６は、ＡＰＣ制御部４３からレーザドライバ８へ与えられ、レーザドライバ８は、ＡＰＣよりも小さい光量で光を出射するように光源７を駆動制御する。このバイアス調整パルス６６が出力されている間に、レーザドライバ８は、光源７が駆動を開始する電流値であるバイアス電流の調整を実行する。
【００５９】
このバイアス調整が終了すると、本発明の特徴である第２回目のＡＰＣ信号を出力する。この第２回目のＡＰＣ信号の発生は、第１回目と同様にして出力されるが、ＢＤ信号によって主走査タイミングカウンタ５１のＣＮＴがクリアされてから次にクリアされるまでの１サイクルにおいて、開始タイミング設定レジスタ５４および終了タイミング設定レジスタ５５に複数回のＡＰＣ信号の発生タイミングを予め設定しておくことによって実現できる。
【００６０】
第２回目のＡＰＣ信号である第２ＡＰＣパルス６７は、時刻ｔ２５〜ｔ２７まで出力され、このときレーザドライバ８が光源７を全点灯させるように駆動制御する。この第２回目のＡＰＣ信号に基づいて光源７を全点灯させているとき、光源７から出射してポリゴンミラー５で反射され、さらに反射ミラー１１で反射されてＢＤ１０にレーザ光ビームが入射する。このことによって、ＢＤ１０は、光強度が高いＡＰＣ状態のレーザ光ビームを検知することができるので、画像情報書込位置基準を高い精度で検出することができる。
【００６１】
ＢＤ１０が検知したＢＤ信号は、画素クロック発生同期制御部２１を介してＡＰＣ制御部４３の主走査タイミングカウンタ５１に与えられてＣＮＴをクリアさせるとともに、画素クロック発生同期制御部２１を介してＰＷＭ発生部２４に与えられ、ＰＷＭ発生部２４が、ＢＤ信号検知に対応する時刻ｔ２６から、所定時間経過後、すなわち回転するポリゴンミラー５で反射されるレーザ光ビームが角度θｘだけ変位するのに要する時間経過後の時刻ｔ２８において、感光体１３に書込むべき画像情報を出力する。この画像情報はレーザドライバ８に与えられ、レーザドライバ８が画像情報に応じて階調制御されたレーザ光出力になるように光源７を駆動制御する。
【００６２】
このように、バイアス調整の後に第２回目のＡＰＣ信号を出力し、その第２回目のＡＰＣ時に全点灯状態のレーザ光ビームを検知、すなわちＢＤ信号を得て画像情報の書込位置基準を検知し、該検知結果に基づいて書込みを開始することによって、ＢＤ信号の検知手段と画像情報書込開始位置とを極めて近接させることが可能になるので、装置を小型化することができる。
【００６３】
図６は、本発明の実施の第２形態であるレーザ書込装置に備わるＡＰＣ制御部７１の構成を示す図である。本実施形態のレーザ書込装置は、実施の第１形態のレーザ書込装置４０に類似するので、全体構成図を省略してレーザ書込制御部に設けられるＡＰＣ制御部７１のみを図示するとともに、対応する部分については同一の参照符号を付して説明を省略する。
【００６４】
本実施形態のレーザ書込装置７１は、フルカラー画像形成装置に搭載されるレーザ書込装置について例示するものであり、光源として、２ビームの白黒画像形成用の第１および第２白黒画像形成用レーザ光源と、カラー画像形成用レーザ光源であるシアン画像形成用レーザ光源、マゼンタ画像形成用レーザ光源およびイエロー画像形成用レーザ光源とを有する。したがって、ＡＰＣ制御部７１の基本ＡＰＣ発生ブロック７２も、白黒画像形成用基本ＡＰＣ発生ブロック７４（第１白黒画像形成用基本ＡＰＣ発生ブロック７４ａおよび第２白黒画像形成用基本ＡＰＣ発生ブロック７４ｂ）と、シアン画像形成用基本ＡＰＣ発生ブロック７５と、マゼンタ画像形成用基本ＡＰＣ発生ブロック７６と、イエロー画像形成用基本ＡＰＣ発生ブロック７７とを含む。またＡＰＣ制御部７１には、各基本ＡＰＣ発生ブロックに接続されるオープンコレクタバッファ７３が備わる。
【００６５】
本実施形態のレーザ書込装置のＡＰＣ制御部７１には、複数の基本ＡＰＣ発生ブロックが備えられるけれども、個々の基本ＡＰＣ発生ブロックの動作は、実施の第１形態のレーザ書込装置４０に設けられるＡＰＣ制御部４３の基本ＡＰＣ発生ブロック５２と同一なので、説明を省略する。
【００６６】
図７は、図６に示すＡＰＣ制御部７１を備えるレーザ書込装置における白黒画像形成時の動作を説明するタイミングチャートである。前述のように、個々の基本ＡＰＣ発生ブロックは、実施の第１形態の基本ＡＰＣ発生ブロック５２と同様に動作するので、本実施形態では、基本ＡＰＣ発生ブロックの動作説明を省略し、ＡＰＣ信号、バイアス調整信号、ＢＤ信号検知および画像情報書込開始のタイミングについてのみ説明する。
【００６７】
まず第１白黒画像形成用レーザ光源のＡＰＣのために第１回目の第１ＡＰＣ信号８１が出力され、次いで第１白黒画像形成用レーザ光源のバイアス調整のために第１バイアス調整信号８２が出力される。その後、第２白黒画像形成用レーザ光源のＡＰＣのために第２ＡＰＣ信号８３が出力され、次いで第２白黒画像形成用レーザ光源のバイアス調整のために第２バイアス調整信号８４が出力される。
【００６８】
第２バイアス調整信号８４の出力が完了した後、再び第１白黒画像形成用レーザ光源のＡＰＣのために第２回目の第１ＡＰＣ信号８５が出力される。第２回目の第１ＡＰＣ信号８５に基づいてレーザドライバ８が第１白黒画像形成用レーザ光源を全点灯させ、この全点灯状態の第１白黒画像形成用レーザ光ビームをＢＤ１０で検知することによって画像情報の書込位置基準を得、該書込位置基準に従って定められる画像情報書込開始位置において第１および第２白黒画像形成用レーザ光源の両者による画像情報の書込みが開始される。
【００６９】
本実施形態のレーザ書込装置においても、第１白黒画像形成用レーザ光源について２回のＡＰＣを実行し、第２回目のＡＰＣ時にＢＤ信号８６を検知し、該検知後にバイアス調整を行うことなく画像情報の書込みを開始するので、実施の第１形態のレーザ書込装置と同様の効果を奏することができる。
【００７０】
なお、本実施形態のレーザ書込装置におけるカラー画像形成時の動作は以下のようになる。カラー画像形成時には、第１白黒画像形成用レーザ光源と、シアン画像形成用レーザ光源と、マゼンタ画像形成用レーザ光源と、イエロー画像形成用レーザ光源とが、使用される。したがって、第１白黒画像形成用レーザ光源についてＡＰＣとバイアス調整を行い、シアン画像形成用レーザ光源についてＡＰＣとバイアス調整を行い、マゼンタ画像形成用レーザ光源についてＡＰＣとバイアス調整を行い、イエロー画像形成用レーザ光源についてＡＰＣとバイアス調整を行った後、再び第１白黒画像形成用レーザ光源についてＡＰＣを実行し、このＡＰＣ時にＢＤ信号を検知し、その後バイアス調整を行うことなく、ＢＤ信号による書込位置基準に基づいて画像情報の書込みを開始する。
【００７１】
シアン画像形成用レーザ光源、マゼンタ画像形成用レーザ光源およびイエロー画像形成用レーザ光源と、第１白黒画像形成用レーザ光源との相互配置は、第２白黒画像形成用レーザ光源と第１白黒画像形成用レーザ光源との相互配置と同様に設計事項として予め定めることができるので、カラー画像形成時においても、第１白黒画像形成用レーザ光源によるＢＤ信号を検知するだけで、各光源による画像情報書込開始位置を確定することができる。
【００７２】
図８は、本発明の実施の第３形態であるレーザ書込装置に備わるＡＰＣ制御部９１の構成を示す図である。本実施形態のレーザ書込装置は、実施の第２形態のレーザ書込装置に類似し、対応する部分については同一の参照符号を付して説明を省略する。
【００７３】
本実施形態のレーザ書込装置において注目すべきは、レーザ書込制御部に備わるＡＰＣ制御部９１において、第１白黒画像形成用レーザ光源に対する基本ＡＰＣ発生ブロック７４ａおよびそれに接続されるオープンコレクタバッファ７３と、シアン画像形成用レーザ光源に対する基本ＡＰＣ発生ブロック７５およびそれに接続されるオープンコレクタバッファ７３とを電気的に接続し、白黒画像を形成するとき、シアン画像形成用レーザ光源に用いられるＡＰＣ信号発生手段である基本ＡＰＣ発生ブロック７５およびそれに接続されるオープンコレクタバッファ７３を、第１白黒画像形成用レーザ光源の基本ＡＰＣ発生ブロック７４ａおよびそれに接続されるオープンコレクタバッファ７３として動作させることである。
【００７４】
図９は、図８に示すＡＰＣ制御部９１を備えるレーザ書込装置における白黒画像形成時の動作を説明するタイミングチャートである。本実施形態においても、個々の基本ＡＰＣ発生ブロックは、実施の第１形態の基本ＡＰＣ発生ブロック５２と同様に動作するので、基本ＡＰＣ発生ブロックの動作説明を省略し、ＡＰＣ信号、バイアス調整信号、ＢＤ信号検知および画像情報書込開始のタイミングについてのみ説明する。
【００７５】
まず第１白黒画像形成用レーザ光源のＡＰＣ制御のために第１ＡＰＣ信号９２が第１白黒画像形成用基本ＡＰＣ発生ブロック７４ａから出力される。このとき、第１白黒画像形成用基本ＡＰＣ発生ブロック７４ａに接続されるオープンコレクタバッファ７３と、シアン画像形成用基本ＡＰＣ発生ブロック７５に接続されるオープンコレクタバッファ７３とが電気的に接続されるので、第１白黒画像形成用基本ＡＰＣ発生ブロック７４ａに接続されるオープンコレクタバッファ７３と、シアン画像形成用基本ＡＰＣ発生ブロック７５に接続されるオープンコレクタバッファ７３との両方から、ＡＰＣ信号９２ａとＡＰＣ信号９２ｂとがＡＰＣ信号としてそれぞれ出力される。
【００７６】
次いで第１白黒画像形成用レーザ光源のバイアス調整のために第１バイアス調整信号９３が出力される。その後、第２白黒画像形成用レーザ光源のＡＰＣのために第２ＡＰＣ信号９４が出力され、次いで第２白黒画像形成用レーザ光源のバイアス調整のために第２バイアス調整信号９５が出力される。
【００７７】
第２バイアス調整信号９５の出力が完了した後、本実施形態では、シアン画像形成用レーザ光源をＡＰＣするシアンＡＰＣ信号９６が出力される。第１白黒画像形成用基本ＡＰＣ発生ブロック７４ａに接続されるオープンコレクタバッファ７３と、シアン画像形成用基本ＡＰＣ発生ブロック７５に接続されるオープンコレクタバッファ７３とが電気的に接続されるので、このシアンＡＰＣ信号９６は、第１白黒画像形成用基本ＡＰＣ発生ブロック７４ａに接続されるオープンコレクタバッファ７３と、シアン画像形成用基本ＡＰＣ発生ブロック７５に接続されるオープンコレクタバッファ７３との両方から、ＡＰＣ信号９６ａおよびＡＰＣ信号９６ｂとしてそれぞれ出力される。
【００７８】
本実施形態のＡＰＣ制御部９１においては、第１白黒画像形成用基本ＡＰＣ発生ブロック７４ａから２回ＡＰＣ信号を発生することがないけれども、第２バイアス調整信号９５を発生させた後に、シアン画像形成用基本ＡＰＣ発生ブロック７５から発生されるシアンＡＰＣ信号９６が、第２回目の第１ＡＰＣ信号としてレーザドライバ８へ出力されるので、実質的に第１白黒画像形成用基本ＡＰＣ発生ブロック７４ａから２回ＡＰＣ信号を発生したのと同様に作用する。
【００７９】
したがって、シアンＡＰＣ信号９６を、第２回目の第１ＡＰＣ信号９６ａとして第１白黒画像形成用レーザ光源を全点灯させ、この全点灯状態の第１白黒画像形成用レーザ光ビームをＢＤ信号９７として検知することによって画像情報の書込位置基準を得、該書込位置基準に従って定められる画像情報書込開始位置において第１および第２白黒画像形成用レーザ光源の両者による画像情報の書込みが開始される。
【００８０】
このように、本実施形態のレーザ書込装置にいては、白黒画像を形成するとき、シアンのカラー画像形成用レーザ光源に用いられる基本ＡＰＣ発生部７５を、第１白黒画像形成用レーザ光源の基本ＡＰＣ発生部７４ａとして動作させることができるので、回路規模の削減を実現できる。
【００８１】
なお、本実施形態のレーザ書込装置におけるカラー画像形成時の動作は、第１白黒画像形成用レーザ光源とシアン画像形成用レーザ光源とのＡＰＣが重複して実行されることを除いて、実施の第２形態のレーザ書込装置と同様になる。
【００８２】
第１白黒画像形成用レーザ光源とシアン画像形成用レーザ光源とのＡＰＣが重複して実行されることになるけれども、各光源に対して光量センサおよびレーザドライバがそれぞれ設けられるので、重複実行は可能である。またシアン画像形成用レーザ光源を全点灯してＡＰＣする際にも、シアン画像形成用レーザ光源から出射されるレーザ光ビームがＢＤ１０に入射することなく、第１白黒画像形成用レーザ光源から出射されるレーザ光ビームのみがＢＤ１０に入射するように配置が定められているので、第１白黒画像形成用レーザ光源とシアン画像形成用レーザ光源とのＡＰＣが重複して実行されることによるＢＤ信号誤検知の問題はない。
【図面の簡単な説明】
【００８３】
【図１】本発明の実施の第１形態であるレーザ書込装置４０の構成を簡略化して示す図である。
【図２】ＡＰＣ制御部４３の構成の概略を示す図である。
【図３】図２に示すＡＰＣ制御部４３の内部構成を示す図である。
【図４】ＡＰＣ制御部４３の動作を説明するタイミングチャートである。
【図５】レーザ書込装置４０の動作を説明するタイミングチャートである。
【図６】本発明の実施の第２形態であるレーザ書込装置に備わるＡＰＣ制御部７１の構成を示す図である。
【図７】図６に示すＡＰＣ制御部７１を備えるレーザ書込装置における白黒画像形成時の動作を説明するタイミングチャートである。
【図８】本発明の実施の第３形態であるレーザ書込装置に備わるＡＰＣ制御部９１の構成を示す図である。
【図９】図８に示すＡＰＣ制御部９１を備えるレーザ書込装置における白黒画像形成時の動作を説明するタイミングチャートである。
【図１０】従来のレーザ書込装置１の構成を簡略化して示す図である。
【図１１】バイアス電流の調整を説明する概要図である。
【図１２】従来のレーザ書込装置１における動作を説明するタイミングチャートである。
【図１３】２ビーム光源３１の典型例を示す図である。
【図１４】２ビーム光源３１を備えるレーザ書込装置における動作を説明するタイミングチャートである。
【符号の説明】
【００８４】
５  ポリゴンミラー
６  モータドライバ
７  光源
８  レーザドライバ
９  光量センサ
１０  ビームディテクタ
１１  反射ミラー
１２  レンズ
１３  感光体
２１  画素クロック発生同期制御部
２２  モータ制御部
２４  ＰＷＭ発生部
２５  画像Ｉ／Ｆ部
２６  画像処理部
４０  レーザ書込装置
４１  レーザ書込部
４２  レーザ書込制御部
４３，７１，９１  ＡＰＣ制御部
５１  主走査タイミングカウンタ
５２，７２  基本ＡＰＣ発生ブロック
５３，７３  オープンコレクタバッファ
５４  開始タイミング設定レジスタ
５５  終了タイミング設定レジスタ
５６，５７  比較器
５８  ＲＳ−Ｆ／Ｆ
【図１】
2006181974.tif 000003
【図２】
2006181974.tif 000004
【図３】
2006181974.tif 000005
【図４】
2006181974.tif 000006
【図５】
2006181974.tif 000007
【図６】
2006181974.tif 000008
【図７】
2006181974.tif 000009
【図８】
2006181974.tif 000010
【図９】
2006181974.tif 000011
【図１０】
2006181974.tif 000012
【図１１】
2006181974.tif 000013
【図１２】
2006181974.tif 000014
【図１３】
2006181974.tif 000015
【図１４】
2006181974.tif 000016